(57)【要約】【課題】玄米から石抜きする石抜選別装置は、玄米を揺動移送する揺動棚が用いられる形態が多く、石抜経路には下層に石礫類が移送され、この上層に玄米が移送されて、比重選別作用が行われる。このため、石抜経路の終端から選別口にわたっては、石混じりの玄米が移送されていて完全な選別作用は行われ難い。又、石抜経路から選別口にわたる石類の移送に時間を要して、石抜き排除をシャッターの短時間の開きによって行わせることは難しく、比較的下層における石礫類層の多い選別口で、この底部のシャッターを開いて石類だけを排出させようとしても、上層の玄米をも共に排出させることとなり易い。【解決手段】玄米の供給を受けて揺動移送しながら石抜選別する揺動棚１の石抜経路２終端部に、選別口３と、この選別口３を開閉するシャッター４を設け、このシャッター４は石抜時に複数回開閉する玄米の石抜選別装置。【選択図】図１
2006231256.tif 000002
【特許請求の範囲】
【請求項１】
玄米の供給を受けて揺動移送しながら石抜選別する揺動棚（１）の石抜経路（２）終端部に、選別口（３）と、この選別口（３）を開閉するシャッター（４）を設け、このシャッター（４）は石抜時に複数回開閉することを特徴とする玄米の石抜選別装置。
【請求項２】
前記選別口（３）のシャッター（４）下側に設けられ玄米口（５）と石抜口（６）とに切替えられる切替弁（７）を、この石抜口（６）におけるシャッター（４）の複数回の開閉後に玄米口（５）を開くように切替えることを特徴とする請求項１に記載の玄米の石抜選別装置。
【請求項３】
前記シャッター（４）の開時は、この揺動棚（１）から供給される玄米を受けて選別する粗選機（８）の揺動を停止することを特徴とする請求項１、又は２に記載の玄米の石抜選別装置。
【発明の詳細な説明】
【技術分野】
【０００１】
この発明は、精米施設等において供給される玄米に混入して石礫類を抜きとる石抜選別装置に関し、玄米と石類との選別性を高めるものである。
【背景技術】
【０００２】
揺動棚の石抜経路の終端部にシャッターを設け、このシャッターの開きによって排出される玄米と石を、切替弁で玄米口と石抜口とに切替えて排出させる技術（例えば、特許文献１参照）が知られている。
【特許文献１】特開平１０ー１４６５６６号公報（第３頁、図１）。
【発明の開示】
【発明が解決しようとする課題】
【０００３】
玄米から石抜きする石抜選別装置は、玄米を揺動移送する揺動棚が用いられる形態が多いが、この形態では、石抜経路には下層に石礫類が移送され、この上層に玄米が移送されて、比重選別作用が行われる。このため、石抜経路の終端から選別口にわたっては、石混じりの玄米が移送されていて完全な選別作用は行われ難い。又、この石抜経路から選別口にわたる石類の移送に時間を要して、この石抜き排除をシャッターの短時間の開きによって行わせることは難しく、比較的下層における石礫類層の多い選別口で、この底部のシャッターを開いて石類だけを排出させようとしても、上層の玄米をも共に排出させることとなり易い。
【課題を解決するための手段】
【０００４】
請求項１に記載の発明は、玄米の供給を受けて揺動移送しながら石抜選別する揺動棚（１）の石抜経路（２）終端部に、選別口（３）と、この選別口（３）を開閉するシャッター（４）を設け、このシャッター（４）は石抜時に複数回開閉することを特徴とする玄米の石抜選別装置の構成とする。揺動棚（１）の石抜経路（２）を移送される石混じりの玄米は、下層に石類を移送させていて、この上層部に玄米が移送される。このため、玄米の一部は石抜経路（２）を逆流して選別される部分もある。石抜経路（２）の終端から選別口（３）に排出された玄米も、下層部には石層が形成される。ここで所定の選別行程の後にこの選別口（３）の底部のシャッター（４）が一度開かれて、主としてこの下層の石層部分を下方へ排出させて、直ちに閉鎖する。このシャッター（４）閉鎖後は更に後続の玄米や石が選別口（３）内へ排出されて溜るため、一定時間後に再度シャッター（４）が開閉されることによって主に下層の石層を排出させる。
【０００５】
請求項２に記載の発明は、前記選別口（３）のシャッター（４）下側に設けられ玄米口（５）と石抜口（６）とに切替えられる切替弁（７）を、この石抜口（６）におけるシャッター（４）の複数回の開閉後に玄米口（５）を開くように切替えることを特徴とするものである。シャッター（４）は、前記のように複数回にわたって開閉を繰返しながら、選別口（３）下層の石抜きを行うが、このとき、この下方の切替弁（７）は石類を石抜口（６）側へ案内するように切替えられている。そして、シャッター（４）の複数回にわたる開閉が終ることによって、この切替弁（７）が玄米口（５）側へ案内するように切替えられて、シャッター（４）の開きによって石抜き後の玄米を玄米口（５）へ排出案内させることができる。
【０００６】
請求項３に記載の発明は、前記シャッター（４）の開時は、この揺動棚（１）から供給される玄米を受けて選別する粗選機（８）の揺動を停止することを特徴とするものである。揺動棚（１）の玄米経路から流下される玄米は、粗選機（８）に供給されて、この玄米に混入するわら屑等を選別される。この粗選機（８）は、前記シャッター（４）が複数回にわたって開のときは、この粗選のための揺動作用を停止し、このシャッター（４）が閉鎖したときに粗選機（８）の揺動を行わせる。このシャッター（４）は、閉鎖している状態では選別口（３）の下層に石礫類を溜めると共に、この上層に玄米層を溜めて、このシャッター（４）の開きによってこの下層の石礫類だけを排出分離しようとするものであるから、石抜き時の揺動棚（１）や選別口（３）等の揺動作用が一定に維持され、粗選機（８）の揺動共振によって乱されることがない。
【発明の効果】
【０００７】
請求項１に記載の発明は、石抜経路（２）終端の選別口（３）におけるシャッター（４）の各開き毎の時間を短かくして、この選別口（３）底部に溜る下層の主に石層部分を排出させて、上層部の玄米層の排出を少くすることができ、このようなシャッター（４）の開閉を複数回繰返すことによって多量の石抜選別量にも対応することができ、玄米排出損失の少い、効率のよい石抜きを行うことができる。
【０００８】
請求項２に記載の発明は、選別口（３）に所定量の石混じり玄米を溜めておいて下層部に石層を形成させた状態で、シャッター（４）の短時間、かつ複数回にわたる開きによってこの石層部だけを石抜口（６）へ排出させようとするものであるかから、これらシャッター（４）と切替弁（７）との関連作動制御が簡単であり、石抜選別精度のよい石抜きを行わせることができる。
【０００９】
請求項３に記載の発明は、選別口（３）のシャッター（４）の開きによって排出される石抜き時には、粗選機（８）の揺動は停止しているため、この選別口（３）から排出されようとする石礫層と、上部の玄米層との間の拡散混合等の乱れを少くして、安定した選別精度のよい石抜きを行うことができる。
【実施例１】
【００１０】
図面に基づいて、石抜選別装置を有した精米装置を説明する。所定量の玄米とコインを投入することによって精米を行うコイン精米機では、ハウス１１内の機械室１２に石抜選別装置１３や、精米装置１４等を設け、作業室１５からの玄米供給ホッパー１６への玄米供給や、操作盤１７のコインメック１８へのコイン供給等によって精米作業を行うことができ、精米後の白米は白米ホッパー１９から袋２０詰めして取出処理することができる。該玄米供給ホッパー１６に投入された玄米は、この籾、玄米判別センサ２１による識別を受けてエレベータ２２へ供給される。このエレベータ２２から分岐ュータ２３へ送られて、該判別センサ２１による判別によって玄米である場合は、石抜選別装置２４側へ移送され、籾である場合は、作業室１５側ホッパー１６上の取出口５０へ取り出される。この石抜選別装置２４は、玄米ホッパー２５のシャッター２６を開けることによって供給される石混じりの玄米を受けて搖動移送する搖動棚１と、この搖動棚１の傾斜上端側に選別口３と、この底部を開閉するシャッター４、及びこの選別口３から排出される玄米を玄米口５へ切替案内したり、石抜口６へ案内する切替弁７等から構成される。
【００１１】
この石抜き口６へ切替られて排出される石礫類は機外の容器５１へ排出されるが、玄米口５へ排出される玄米は、精米装置１４へ搬送するエレベータ２７へ供給される。該搖動棚１の上面には揺上突子が形成されていて、この搖動棚１の搖動作用によってホッパー２５から供給される石混じりの玄米を受けて傾斜上位側の石抜経路２と、下位側の玄米経路２８とに移送選別することができる。この玄米経路２８の終端部には、この石抜選別装置１３と一体的に構成された粗選機８が配置される。この粗選機８は、傾斜する搖動盤２９と、この搖動盤２９をクランク軸３０を介して旋回駆動するモータ３１を、取付ベース３２に取付ける。搖動盤２９の傾斜下手側には玄米口３３とわら屑口３４が形成されて、取付ベース３２に設けられる各シュート３５、３６にのぞませている。このわら屑シュート３６から取り出されるわら屑は機外へ排出させるが、玄米シュート３５から取り出される玄米は、前記エレベータ２７を経て精米装置１４の精米ホッパー３７へ供給される。
【００１２】
前記該精米装置１４は精米ホッパー３７からの玄米を受けて精米作用を行うことができる。この精米された白米は白米ホッパー１９へ取り出すことができるが、この白米を研米ホッパー２３８へ切替て、エレベータ２７を介して再度精米ホッパー３７へ還元させることにより再精米（乃至研米）作用を行わせることができる。
【００１３】
前記石抜選別装置２４の搖動棚１は、下側にフアン４１を回転させて送風する送風室４２を設け、この搖動棚１にスリット４２を通して石抜経路２側へ噴風させる。この搖動棚１の石抜経路２及び玄米経路２８の終端部は幅寄せ形態に狭くして、選別口３や粗選搖動盤２９上にのぞませる。選別口３１はこの石抜経路２終端の搖動棚１面よりも低くした位置に、前後水平状のシャッター４が設けられて、このシャッター４をシリンダ４４の伸縮によって、前後に作動されて開閉される。このシャッター４が閉鎖されると選別口３は有底容器の形態となり、内部に搖動棚１から移送排出される石Ａ混じりの玄米Ｂを溜めることができる。前記切替弁７は、石抜口６と玄米口５との間の弁軸４５の周りに前後に回動して、玄米口５へ排出するときは、後側へ回動して石抜口６上を閉鎖し、石抜口６へ排出するときは、前側へ回動して玄米口５上を閉鎖する。このようなシャッター４と切替弁７との作動は、コントローラ４６からの出力によって連動される。このコントローラ４６の入力側には手動的に石抜作用を行わせる石抜スイッチ４７や、前記選別口３に所定量の石Ａ混じり玄米Ｂが溜ったことを検出して石抜き作動させる石抜センサ４８等を設け、出力側にシャッター４を開閉作動するシリンダー４４、及び切替弁４５を切替作動するアクチュエータ等を設ける。
【００１４】
玄米がホッパー２５に供給されてシャッター２６が開かれると、この玄米が揺動棚１の上面中央部に供給される。この揺動棚１の揺動と送風室４２からの送風によって、石Ａ混じりの玄米Ｂが石抜経路２側へ揺動移送される。このとき比重選別により石礫類Ａは下層に、玄米Ｂは上層に浮上されて、石Ａは石抜経路２に沿ってそのまま移送されるが、上層の玄米Ｂはこの上層部を玄米経路２８に沿って流下移送されて、石Ａと玄米Ｂとに選別される。しかしながら石抜経路２における玄米Ｂの選別は、完全には行われないで、少量の玄米Ｂが石Ａと混じって選別口３へ送出されることが多い。ここで、石抜経路２から選別口３に送出された石混じりの玄米は、シャッター４の閉鎖状態に伴って溜められて、上層に石Ａ層が溜り、この上側に玄米Ｂ層が溜った状態となる。この貯溜量が一杯になると石抜センサ４８の検出によって、シリンダ４４が作動されシャッター４がタイマーによる最初の一定瞬時の短かい時間にわたって開かれると共に、切替弁７が玄米口５を閉じる。このシャッター４の開きによって下層部の石Ａが石抜口６へ排出される。シャッター４は直ちに閉鎖されて選別口３の後続排出の石Ａや玄米Ｂの落下を遮断する。そしてタイマーによる一定時間が経過すると二回目の一定の短かい時間シャッター４の開きが行われて、この間に下層に溜った石Ａ層部が排出されて、再度シャッター４閉鎖される。このようなシャッター４の開回数を二回に限らず三回、四回のように増加させることもできる。
【００１５】
このようにして、一定複数回数の石抜作用が行われると、次には切替弁７が石抜口６上を閉鎖すると共に、シャッター４がタイマーによる一定時間開かれて、選別口３上層部にまで溜った玄米Ｂを排出して閉鎖される。このような石抜作用を繰返して玄米に混入している石礫を取除くことができる。
【００１６】
前記揺動棚１上を玄米経路２８に沿って送出されるわら屑混じりの玄米Ｂは、隣りの粗選８の揺動盤２９上に供給されて、わら屑等の異物が選別除去される。この揺動盤２９のクランク軸３０には粗選クラッチ４９が設けられていて、この祖選クラッチ４９を切りにすることによってモータ３１の回転に拘らず揺動を停止することができる。この粗選クラッチ４９の切り作動は、前記石抜きセンサ４８の検出によってシャッター４を最初に開くときに行われる。又、二回目に開かれたシャッター４の閉鎖と同時に粗選クラッチ４９を入りにする構成としている。このようにして、石抜選別口３のシャッター４が開かれて石抜作用が行われるときは、粗選機８の揺動用を一旦停止することによって、この石抜き選別作用を共振等によって乱されないようにして、安定した精度の良い石抜きを行わせることができる。
【００１７】
前記玄米供給ホッパー１６に判別センサが設けられるため、玄米専用のコイン精米機のホッパー１６に、籾を供給したときは、コイン精米機は起動されない。このホッパー１６に供給された籾は分岐シャータ２３から作業室１５側の取出口５０へ返却されて、この糠供給による精米装置１４や石抜選別装置１３等の籾詰まりを防止することができる。
【００１８】
又、コイン精米機では、利用客の勘違い等により追加のコインをコインメック１８に投入することが多い。そこで、空運転と判断したときは、使用コインを全額返却して音声で空運転である旨を利用額に通知する。又、データプーリンタには空運転表示とコイン￥０を印字する。これによって、運転すれば空運転とあることが判り、コインを返却し空運転の案内をすることにより、利用者を納特させることができる。
【図面の簡単な説明】
【００１９】
【図１】石抜選別装置一部の側面図と、石抜選別制御のブロック図。
【図２】その全体側面図。
【図３】精米施設の平面配置図。
【図４】その精米系路図。
【図５】精米施設の内部正面図。
【図６】粗選機部の側面図。
【符号の説明】
【００２０】
１    揺別棚
２    石抜経路
３    選別口
４    シャッター
５    玄米口
６    石抜口
７    切替弁
８    粗選機
【図１】
2006231256.tif 000003
【図２】
2006231256.tif 000004
【図３】
2006231256.tif 000005
【図４】
2006231256.tif 000006
【図５】
2006231256.tif 000007
【図６】
2006231256.tif 000008